(57)【要約】【課題】温度上昇防止の為の設備を小型化することができ、さらにガラス張りの昇降路等であっても、巻上機や制御盤といった重要機器に直接日光が当たることのない機械室レスエレベータを得る。【解決手段】巻上機１及び制御盤２が昇降路３内に設置された機械レスエレベータにおいて、昇降路３内の発熱機器を箱体に収納してなるユニット５と、箱体５内の温度上昇を抑制する温度管理手段７とを備えている。発熱機器は、巻上機１及び制御盤２のいずれかを含んでいる。箱体内の温度を検出する温度検出手段８をさらに有し、温度管理手段７は、温度検出手段８の出力基づいて、箱体内の温度が所定の温度に達したときに動作する。【選択図】        図１
2004244152.tif 000002
【特許請求の範囲】
【請求項１】
巻上機及び制御盤が昇降路内に設置された機械室レスエレベータにおいて、
昇降路内の発熱機器を箱体に収納してなるユニットと、
箱体内の温度上昇を抑制する温度管理手段と
を備えたことを特徴とする機械室レスエレベータ。
【請求項２】
前記発熱機器は、巻上機及び制御盤のいずれかを含む
ことを特徴とする請求項１記載の機械室レスエレベータ。
【請求項３】
箱体内の温度を検出する温度検出手段をさらに備え、
前記温度管理手段は、前記温度検出手段の出力に基づいて、箱体内の温度が所定の温度に達したときに動作する
ことを特徴とする請求項１または２記載の機械室レスエレベータ。
【請求項４】
前記温度管理手段は、箱体内の空気と昇降路外の空気とを入れ換える換気装置である
ことを特徴とする請求項１から３のいずれか記載の機械室レスエレベータ。
【請求項５】
前記換気装置は、
前記箱体と昇降路外部との間に設けられたダクトと、
該ダクトを介して箱体内の空気と昇降路外の空気とを強制的に入れ換える送風装置とを有する
ことを特徴とする請求項４記載の機械室レスエレベータ。
【請求項６】
前記温度管理手段は、冷媒を介して箱体内の空気と昇降路外の空気とで熱交換し該箱体内の空気を冷却する冷房装置である
ことを特徴とする請求項１から３のいずれか記載の機械室レスエレベータ。
【請求項７】
前記冷房装置は、
前記箱体の内部に設けられた室内機と、
前記昇降路の外部に設けられた室外機と、
前記室内機と前記室外機との間で前記冷媒を循環させるパイプとを有する
ことを特徴とする請求項６記載の機械室レスエレベータ。
【発明の詳細な説明】
【０００１】
【発明の属する技術分野】
この発明は、巻上機と制御盤が昇降路内に設置された機械室レスエレベータに関し、特に機械室レスエレベータの昇降路内の温度上昇防止に関するものである。
【０００２】
【従来の技術】
多くのエレベータは、利用者が乗る乗かごとつり合い重りとを巻上機に巻掛けたつりロープで連結し、つり合い重りとの重量バランスをとって乗かごを昇降駆動するように構成されている。これをロープ式エレベータと呼ぶ。ところで、このようなエレベータにおいては、エレベータを設置する建物内のスペースとして、乗かごが昇降する昇降路と、巻上機と制御盤を収納する機械室とが必要であり、この機械室は通常建物の屋上部に設けられており、エレベータの保守作業は主にこの機械室で行われている。
【０００３】
一方、エレベータを設置するスペースを最小のものとする目的で、巻上機と制御盤を設置するための機械室を不要とした機械室レスエレベータが提案されている。すなわち、巻上機と制御盤を昇降路上部や最下部に収納する方法が採用されてきている。
【０００４】
このような従来の機械室レスタイプのエレベータにおいては、昇降路内に設置した巻上機や制御盤の発熱により、昇降路内の温度が上昇するので、昇降路内の機器の寿命を短くする要因となる。そのために、例えば、昇降路の上部に換気装置を設置したものが提案されている（例えば、特許文献１参照）。
【０００５】
また、昇降路内の温度を均一化し、駆動装置や制御装置の温度マージンを確保する目的で、昇降路内をかごの昇降通路とつり合いおもりの昇降通路とに区画するとともに、昇降路内の上部と下部とで両昇降通路を互いに連通させる仕切り板を昇降路内に配設したものも提案されている（例えば、特許文献２参照）。
【０００６】
【特許文献１】
特開平７−１０４３４号公報
【特許文献２】
特開２００１−７２３５３号公報
【０００７】
【発明が解決しようとする課題】
このように、昇降路内温度の上昇を防止することは、機械室レスエレベータにおける課題のひとつであった。しかしながら、従来の機械室レスエレベータにおいては、昇降路内全体の温度の上昇を抑制しようとした為、設備が大型となり、またコストが上昇するので問題であった。
【０００８】
また、近年、ガラス張りの昇降路を有する機械室レスエレベータ等においては、昇降路内に直接日光が当たり、さらに昇降路内温度が上昇することに加え、巻上機や制御盤といった重要機器に直接日光が当たり、機器の寿命を短くする要因となることが危惧されていた。
【０００９】
この発明は、上述のような課題を解決するためになされたもので、温度上昇防止の為の設備を小型化することができ、さらにガラス張りの昇降路等であっても、巻上機や制御盤といった重要機器に直接日光が当たることのない機械室レスエレベータを得ることを目的とする。
【００１０】
【課題を解決するための手段】
この発明に係る機械室レスエレベータは、昇降路内の発熱機器を箱体に収納してなるユニットと、箱体内の温度上昇を抑制する温度管理手段とを備えている。
【００１１】
【発明の実施の形態】
実施の形態１．
図１はこの発明の実施の形態１の機械室レスエレベータの要部を示す斜視図である。図２はユニットの外観を示す斜視図である。本実施の形態の機械室レスエレベータにおいては、発熱機器としての巻上機１と制御盤２は、昇降路３の最下部に設けられた箱体４内に収納されユニット５を構成している。尚、図１においては、解りやすいように箱体４を透過して記載している。
【００１２】
巻上機１には、図示しない乗かごを昇降させる巻上ロープ６が巻き掛けられている。箱体４は鋼板等で作製され、内部に収納された機器の保守の為に、前面に扉４ａが設けられている。箱体４上部の巻上ロープ６が貫通する部分には、箱体４内の空気と昇降路３内の空気の出入りする量を最小とするためにロープダクト４ｃが設けられている。ロープダクト４ｃには、巻上ロープ６の動作に支障のない程度に小径とされ、且つ巻上ロープ６の架設方向に延びる長尺小径の貫通穴４ｂが形成されている。
【００１３】
さらに、ユニット５には、箱体４内の空気と昇降路３外の空気とを入れ換える温度管理手段としての換気装置７が設けられている。換気装置７は、箱体４内に設けられた、送風装置として動作する室内機７ａと、昇降路３の外部に設けられた、同じく送風装置として動作する室外機７ｂと、室内機７ａと室外機７ｂとの間に設けられたダクト７ｃとから構成されている。さらにユニット５には、温度検出手段として、換気装置７と電気的に接続され、箱体４内の空気の温度を計測する温度センサ８が設けられている。
【００１４】
次に、動作を説明する。エレベータの運転が開始されると、巻上機１と制御盤２は熱を発生する。そして、箱体４内部の空気の温度が第１のしきい値を超えると、これを温度センサ８が検出して、換気装置７が動作を開始する。換気装置７は箱体４の内部の空気と昇降路３の外部の空気とを入れ換えて、箱体４の内部の空気の温度を下げる。そして、箱体４内部の空気の温度が第２のしきい値以下になると、温度センサ８がこれを検出して換気装置７は動作を停止する。第１のしきい値と第２のしきい値は、環境に合わせて適切な値に設定される。
【００１５】
このように構成された機械室レスエレベータにおいては、昇降路３内の発熱機器を箱体４に収納してなるユニット５と、箱体４内の温度上昇を抑制する温度管理手段とを備えており、昇降路３全体の温度管理をする設備にくらべて小型で小規模な温度管理手段とすることができるので、コストダウンを図ることができる。
【００１６】
また、発熱機器は、巻上機１及び制御盤２であるので、箱体４内の温度管理をすればエレベータが正常に動作可能となり、小型で小規模な温度管理手段とすることができるとともに、エレベータの信頼性が向上する。また、ガラス張りの昇降路を有するエレベータであっても、巻上機１や制御盤２といった重要機器に直接日光が当たることがなく、装置の寿命が長くなる。
【００１７】
さらに、箱体４内の温度を検出する温度センサ８を備え、温度管理手段は、温度センサ８の出力に基づいて、箱体４内の温度が所定の温度に達したときに動作するので、温度管理を最適に行うことができ、エレベータの信頼性がさらに向上するとともに、温度管理手段が必要以上の時間動作することがないので、経済性が向上しさらにコストダウンを図ることができる。
【００１８】
また、温度管理手段は、箱体４内の空気と昇降路３外の空気とを入れ換える換気装置７であるので、比較的安価な装置によって温度管理をすることができ、さらにコストダウンを図ることができる。
【００１９】
さらに、換気装置７は、箱体７と昇降路３外部との間に設けられたダクト７ｃと、ダクト７ｃを介して箱体４内の空気と昇降路３外の空気とを強制的に入れ換える送風装置として動作する室内機７ａ及び室外機７ｂを有しているので、例えば、ユニット５が昇降路３の壁面から離れた場所に設置されていても、ダクト７ｃを延長して容易に適用することができる。同様に、昇降路３の壁面が厚い場合や、外気に接触できる場所が遠い場合等においても容易に適用することができる。
【００２０】
尚、本実施の形態においては、発熱機器として箱体４に収納される機器は、巻上機１と制御盤２であるが、いずれか一方のみが収納されても所定の効果を得ることができる。また、巻上機１や制御盤２に限らず、昇降路３内の他の発熱機器が収納されても所定の効果を得ることができる。
【００２１】
また、本実施の形態においては、温度センサ８を設けて換気装置７の動作を制御しているが、温度センサ８を使用せず、常に換気装置７が動作させるようにしてもよい。また、所定の時間でオン・オフを繰り返すように間欠的に動作させてもよい。
【００２２】
実施の形態２．
図３はこの発明の実施の形態２の機械室レスエレベータの要部を示す斜視図である。本実施の形態の機械室レスエレベータにおいては、温度管理手段として、実施の形態１の換気装置７に代わって、冷房装置９が設けられている。冷房装置９は、箱体４内に設けられた室内機９ａと、昇降路３の外部に設けられた室外機９ｂと、室内機９ａと室外機９ｂとの間に設けられ、冷媒を循環させるパイプ９ｃとから構成されている。その他の構成は実施の形態１と同様である。
【００２３】
次に、動作を説明する。エレベータの運転が開始されると、巻上機１と制御盤２は熱を発生する。そして、箱体４内部の空気の温度が第１のしきい値を超えると、これを温度センサ８が検出して、冷房装置９が動作を開始する。冷房装置９は、冷媒を介して箱体４の内部の空気と昇降路３の外部の空気とで熱交換して、箱体４の内部の空気の温度を冷却する。そして、箱体４内部の空気の温度が第２のしきい値以下になると、温度センサ８がこれを検出して冷房装置９は動作を停止する。
【００２４】
このように構成された機械室レスエレベータにおいては、温度管理手段は、冷媒を介して箱体４内の空気と昇降路３外の空気とで熱交換し箱体４内の空気を冷却する冷房装置９であるので、冷却能力が向上し箱体４内の温度を確実に下げることができ、エレベータの信頼性が向上する。
【００２５】
また、冷房装置９は、箱体４の内部に設けられた室内機９ａと、昇降路３の外部に設けられた室外機９ｂと、室内機９ａと室外機９ｂとの間で冷媒を循環させるパイプ９ｃとを有する。そのため、ユニット５が昇降路３の壁面から離れた場所に設置されていても、パイプ９ｃを延長して容易に適用することができる。
【００２６】
【発明の効果】
この発明に係る機械室レスエレベータは、昇降路内の発熱機器を箱体に収納してなるユニットと、箱体内の温度上昇を抑制する温度管理手段とを備えているので、温度上昇防止の為の設備を小型化することができる。
【図面の簡単な説明】
【図１】この発明の実施の形態１の機械室レスエレベータの要部を示す斜視図である。
【図２】この発明の実施の形態１の機械室レスエレベータのユニットの外観を示す斜視図である。
【図３】この発明の実施の形態２の機械室レスエレベータの要部を示す斜視図である。
【符号の説明】
１  巻上機（発熱機器）、２  制御盤（発熱機器）、３  昇降路、４  箱体、５  ユニット、７  換気装置（温度管理手段）、７ａ  室内機（送風装置）、７ｂ  室外機（送風装置）、７ｃ  ダクト、８  温度センサ（温度検出手段）、９冷房装置（温度管理手段）、９ａ  室内機、９ｂ  室外機、９ｃ  パイプ。
【図１】
2004244152.tif 000003
【図２】
2004244152.tif 000004
【図３】
2004244152.tif 000005